(57)【要約】【課題】  容器本体の遊端側周縁部の上に蓋体の遊端側周縁部を前後のずれのない状態で空間も開くことなくぴったりと重ね合わせることができるようにした鶏卵包装用容器の提供。【解決手段】  鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、容器本体１と蓋体２との外周縁部分の少なくとも四隅部分に、または全周にわたって、これら容器本体１と蓋体２との何れか一方に上方に向かって突出する所要長さのリブ状突起１３が形成され、何れか他方にこの突起１３を受け入れ、かつ、この突起１３の外周面とほぼ密接する周壁面２３ａを備えた突起受入れ部２３が形成されている構成としたもの。【選択図】      図１
2006036332.tif 000002
【特許請求の範囲】
【請求項１】
鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、容器本体１と蓋体２との外周縁部分の少なくとも四隅部分に、これら容器本体１と蓋体２との何れか一方に上方に向かって突出する所要長さのリブ状突起１３が形成され、何れか他方にこの突起１３を受け入れ、かつ、この突起１３の外周面とほぼ密接する周壁面２３ａを備えた突起受入れ部２３が形成されている樹脂シート製鶏卵包装用容器。
【請求項２】
鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、容器本体１と蓋体２との外周縁部分の全周に沿って、これら容器本体１と蓋体２との何れか一方に上方に向かって突出するリブ状突起１３が形成され、何れか他方にこの突起１３を受け入れ、かつ、この突起１３の外周面とほぼ密接する周壁面２３ａを備えた突起受入れ部２３が形成され、閉蓋時にこの突起１３が容器本体１と蓋体２との嵌合案内となり、閉蓋後はこの突起１３と突起受入れ部２３の周壁面２３ａとにより両体１，２が略密閉状態を維持する構造としてある樹脂シート製鶏卵包装用容器。
【請求項３】
鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が平坦な天蓋部分２１Ａを備えていて、前記ヒンジ部３と平行な幅方向の一側に平坦面２１ａを残して残余部分が小さな凹凸面２１ｂに形成され、蓋体２における周壁２２のうち、この小凹凸面２１ｂに連なる側の周壁２２ｂが、上下幅方向に直線状で横幅方向に凹凸する縦リブ面に形成され、前記小凹凸面２１ｂと該周壁２２ｂとにわたって連続するラベル貼付面が形成されている樹脂シート製鶏卵包装用容器。
【請求項４】
鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が平坦な天蓋部分２１Ａを備えていて、その四隅部分に閉蓋姿勢における上方に向かって突出する個々に独立した複数の粒状突起２４が形成されている樹脂シート製鶏卵包装用容器。
【発明の詳細な説明】
【技術分野】
【０００１】
本発明は、容器本体と蓋体とがその一側部でヒンジ部を介して折り曲げ折重ね自在に一体的に連結形成されている樹脂シート製の鶏卵包装用容器に関するものである。
【背景技術】
【０００２】
従来から、この種の樹脂シート製鶏卵包装用容器は、容器内に鶏卵を収納して保護する包装用容器として周知されている。この種の鶏卵を包装する容器にあっては、容器本体に対して蓋体を折り曲げ部から折り曲げて容器本体上に重ね合わせ状として上方を覆わせ、その遊端側の接合縁の外周面に、片面に接着剤を塗布した粘着テープを側面視Ｕ字形に折り曲げて接着させることにより封緘する包装手段がとられている。また、包装した鶏卵の愛称や商標、商品名・生産者名・生産日または消費期限等を印刷したラベルも機械によって各容器に貼着する手段が採用されている。更に、鶏卵を包装した容器は、上下に積み重ねられて流通に供され、販売に際しても上下に積み重ねられて展示されている。
【０００３】
このテープ接着による封緘手段は、通常、機械装置の利用による自動封緘手段がとられており、閉蓋姿勢とした容器をコンベヤによる移送中に、容器の長手方向に沿った接合縁の外周端をテープの上下幅の中間部分に当て付けながら、機械装置によってテープの幅方向の上下部分を側面視Ｕ字形に折り畳み状としながら容器接合縁の上下面に接着させる手段が採用されている。また、包装した鶏卵の諸情報を印刷した前記ラベルも、その背面に粘着材を塗布したものが採用され、機械によって蓋体の表面に貼り付けられている。
【特許文献１】特許第２７０６９１５号公報
【特許文献２】特許第２８６３９０３号公報
【発明の開示】
【発明が解決しようとする課題】
【０００４】
前記の機械を利用して、粘着テープを側面視Ｕ字形に折り畳みながら封緘する封緘手段を確実に行うためには、容器本体と蓋体との遊端縁が常にぴったりと重ね合わされていて、前後方向にもずれのない状態に折り畳まれていることが必要である。換言すると、容器本体の遊端側の接合縁上に蓋体の遊端側の接合縁が前後にずれることなく、重ね合わせ方向にも開くことなく上下にぴったりと重ね合わされていることが好ましい。第２に、機械によって前記ラベルを貼着させるとき、ラベルを所定位置に正しく貼付することができ、容器の廃棄時には、ラベルの剥離が容易にできることが好ましい。第３に、鶏卵は衝撃に弱く容易に破損する性質のものであるため、販売展示姿勢において鶏卵収容容器を上下に積み重ねたとき、積み重ね状態を確実に維持し、滑り落ちることのないものであることが必要である。
【０００５】
本発明は、閉蓋時に蓋体を容器本体上に常に所定の姿でぴったりと重ね合わせることができ、容器内部を確実に透視でき、ラベルを所定位置に正しく貼付することができるものでありながら、容器の廃棄時にはラベルの剥離が容易にでき、また、積み重ね状態を確実に維持し得るようにした鶏卵包装用容器を提供しようとするものである。
【課題を解決するための手段】
【０００６】
該目的を達成するために講じた本発明にかかる樹脂シート製鶏卵包装用容器の第１の構成は、鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、容器本体１と蓋体２との外周縁部分の少なくとも四隅部分に、これら容器本体１と蓋体２との何れか一方に上方に向かって突出する所要長さのリブ状突起１３が形成され、何れか他方にこの突起１３を受け入れ、かつ、この突起１３の外周面とほぼ密接する周壁面２３ａを備えた突起受入れ部２３が形成されている構成としたものである。
【０００７】
また、第２の構成は、鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、容器本体１と蓋体２との外周縁部分の全周に沿って、これら容器本体１と蓋体２との何れか一方に上方に向かって突出するリブ状突起１３が形成され、何れか他方にこの突起１３を受け入れ、かつ、この突起１３の外周面とほぼ密接する周壁面２３ａを備えた突起受入れ部２３が形成され、閉蓋時にこの突起１３が容器本体１と蓋体２との嵌合案内となり、閉蓋後はこの突起１３と突起受入れ部２３の周壁面２３ａとにより両体１，２が略密閉状態を維持することができる構造としたものである。
【０００８】
第３の構成は、鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が平坦な天蓋部分２１Ａを備えていて、前記ヒンジ部３と平行な幅方向の一側に平坦面２１ａを残して残余部分が小さな凹凸面２１ｂに形成され、蓋体２における周壁２２のうち、この小凹凸面２１ｂに連なる側の周壁２２ｂが、上下幅方向に直線状で横幅方向に凹凸する縦リブ面に形成され、前記小凹凸面２１ｂと該周壁２２ｂとにわたって連続するラベル貼付面が形成されている構成としたものである。
【０００９】
更に第４の構成は、鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が平坦な天蓋部分２１Ａを備えていて、その四隅部分に閉蓋姿勢における上方に向かって突出する個々に独立した複数の粒状突起２４が形成されている構成としたものである。
【発明の効果】
【００１０】
本発明は、以上の構成としたものであるから、請求項１の構成の容器にあっては、蓋体のオープン状態で容器本体に所要数の鶏卵を収容させた後、蓋体をヒンジ部から折り曲げて容器本体上に嵌合させるとき、容器本体と蓋体との外周縁部分の少なくとも四隅部分に、これら容器本体と蓋体との何れか一方に上方に向かって突出する所要長さのリブ状突起が形成され、何れか他方にこの突起を受け入れ、かつ、この突起の外周面とほぼ密接する周壁面を備えた突起受入れ部を形成してあるので、容器本体と蓋体との嵌合がこれら四隅部分に形成してあるリブ状突起と突起受入れ部とによって互いに密接状態で案内されながら、しっかりと位置決めされた状態で重ね合わせることができ、容器本体の遊端側の接合縁上に蓋体の遊端側の接合縁を前後方向にずれることなく、重ね合わせ方向にも開くことなく上下にぴったりと重ね合わせることができる。このことによって、自動封緘機のような機械を利用して接着テープによる封緘作業を効率よく確実に行うことができるという効果を期待することができる。
【００１１】
請求項２に記載の容器にあっては、容器本体と蓋体との何れか一方に上方に向かって突出形成させたリブ状突起と、他方に形成したこの突起の外周面とほぼ密接する周壁面を備えた突起受入れ部とを、容器本体と蓋体との外周縁部分の全周に沿って形成したものとしてあるので、これら容器本体と蓋体との重ね合わせ嵌合をより一層確実に行うことができ、自動封緘機のような機械による封緘作業をより一層確実に行うことができるという効果が期待できる。
【００１２】
また、請求項３に記載の容器にあっては、蓋体が平坦な天蓋部分を備えていて、ヒンジ部と平行な一側に平坦面を残した状態で、その余の部分を小さな凹凸面に形成してあるものとし、この小凹凸面に連なる側の周壁部分を、この周壁部分における上下幅方向に直線状で横幅方向において凹凸する複数の縦リブを備えた面に形成してあり、前記小凹凸面とこの縦リブ形成周壁とにわたってラベルを貼着する連続ラベル貼付面を形成したものとしてあるので、十分なラベル貼付面を備えたものでありながら、小凹凸の形成されていない一側に残した平坦面の存在によって、内部に収容した鶏卵の色や形、状態の確認を確実に行うことができるという効果を有し、更に、ラベルが前記小凹凸面上と縦リブの凸表面上とに貼着されているので、鶏卵使用後にラベルの剥離が容易にでき、ゴミの分別廃棄に役立つ効果をも備えている。
【００１３】
また、請求項４に記載の容器にあっては、蓋体が平坦な天蓋部分を備えていて、その四隅部分に閉蓋姿勢における上方に向かって突出する個々に独立した複数の粒状突起を形成してある構成としたものであるから、リブ状に連なった突条に比して、強固な突起とすることができ、リブ状の突条のように突条が潰れて突条の役目を果たさず、積み上げた上部の容器が滑り落ちるという事故を防止し確実に滑り落ちをなくすることができるという実用上の顕著な効果を期待することができるに至ったのである。
【発明を実施するための最良の形態】
【００１４】
以下、本発明の構成を実施例図面に基づいて説明する。図１は容器の全体形状を示す斜視図、図２は同容器の平面図、図３は同正面図、図４は同背面図、図５は同右側面図、更に図６は図２に記載の蓋体における右端部分を拡大して示した部分図である。
【００１５】
而して、この実施例図に示した鶏卵包装用容器は、図２における下半部の容器本体１に示した鶏卵収容用凹部１１にみられるように、前後（同図の上下）２列左右３個、合計６個の鶏卵を個別に収納して包装するのに使用する容器を対象として示したものである。この鶏卵収容用凹部１１は、左右に５個、合計１０個の容器や、左右４個、合計８個、左右６個、合計１２個の容器や、前後３列、左右５個、合計１５個の容器もある。
【００１６】
この鶏卵鶏卵包装用容器は、合成樹脂シート素材を用いて容器本体１と蓋体２とをその一側部においてヒンジ部３を介して折り曲げ折重ね自在に一体的に連結成形してある。鶏卵の包装は、容器本体１に形成された前記６個の各卵収容凹部１１にそれぞれに鶏卵を個別に収容させた後、蓋体２をヒンジ部３から上方前方に向かって折り曲げて容器本体１の上に折り重ね状とし、これら容器本体１の遊端側の接合縁１４と蓋体２の遊端側の接合縁２４とを重ね合わせ、この接合縁１４，２４をぴったりと重ね合わせた状態として、その外端縁を、片面に接着剤を塗布した封緘用の接着テープの幅方向中間部に当てつけた状態として、テープを側面視Ｕ字形に折り曲げながら外側から包み込むようにして接着させて封緘させるのである。
【００１７】
この実施例に示した容器は、容器本体１と蓋体２との外周縁部分の四隅部分を含めて全周に沿って、これら容器本体１と蓋体２との内、容器本体１に上方に向かって突出するリブ状突起１３を連続させて形成し、蓋体２にはこの突起１３を受け入れ、かつ、この突起１３の外周面とほぼ密接する大きさ及び形状とした周壁面２３ａを備えた突起受入れ部２３を形成してある。
【００１８】
また、蓋体２は、鶏卵の上半部を覆う概略長方形の凹入部を備えていて、その底部を形成する天蓋部分２１Ａは、支柱２５の形成部分を除き概略平坦面に形成してあり、図２において下方側の前記ヒンジ部３と平行な一側に平坦面２１ａを残して、残余部分を小さな網目状の凹凸面２１ｂに形成してある。また、蓋体２における周壁２２のうち、この小凹凸面２１ｂに連なる側の、即ち図２において上側の周壁２２ｂを、上下幅方向において直線状で横幅方向において凹凸する状態で多数の縦リブ面に形成してあり、前記小凹凸面２１ｂと該周壁２２ｂとにわたって連続するラベル貼付面を形成してある。
【００１９】
更に、該蓋体２の天蓋部分２１Ａの四隅部分には、閉蓋姿勢における上方側、図１，４において下側に向かって突出する、個々に独立した複数の粒状突起２４を形成してある。より詳しくは、図２の蓋体部分及びこれを拡大して示した図６において、下側の角隅部には円弧形に４つの粒状突起２４を形成し、上側の角隅部には円弧形に３つの粒状突起２４を形成してあり、下側の４つの粒状突起２４に比し、横幅方向の中央側に片寄った部分が削られて存在しない形状としてある。
【００２０】
該実施例に示した容器は、閉蓋時において、前記の四隅部分を含めて全周に沿って形成した突起１３と、この突起１３の外周面とほぼ密接する大きさと形状とした周壁面２３ａを備えた突起受入れ部２３とがほぼ接しながら、互いに容器本体１と蓋体２との嵌合案内となって位置ずれを起こすことなく確実に嵌合し、閉蓋後はこの突起１３と突起受入れ部２３の周壁面２３ａとにより両体１，２が略密閉状態を維持することとなり、容器本体の遊端側の接合縁１０上に蓋体の遊端側の接合縁２０を前後方向にずれることなく、また、重ね合わせ方向にも開くことなく上下にほぼぴったりと重なり合った状態とすることができるようにしてある。
【００２１】
また、蓋体２は、ヒンジ部３と平行な一側に小凹凸を形成していない平坦面２１ａを残した状態でその他の部分を小凹凸面２１ｂに形成し、これに連なる周壁２２ｂも縦リブ面に形成して、この縦リブの表面と小凹凸面２１ｂとにわたって連続するラベル貼付面を形成してあるので、広いラベル貼付面を確保しながら内部の透視も容易にできるものとしてある。更に、前記のように、蓋体２の四隅部分に閉蓋姿勢時に上方に向かって突出する個々に独立した複数の粒状突起２４を形成してあることによって、この潰れにくい粒状突起２４により上部積み上げ容器の滑り落ちを確実に防止できるものとしてある。
【００２２】
殊に、ラベル貼付面側の粒状突起２４を、前記のように、図６における上側の角隅部に円弧形に形成した粒状突起２４を３つとして、下側の角隅部に円弧形に形成した４つの粒状突起２４と対比したとき、横幅方向の中央側に片寄った部分、即ち、小凹凸面２１ｂを形成してある方向の部分が削られている形としてあることによって、ラベル貼付面の横幅を最大限に広く形成すると同時に、機械によるラベル貼付が支障なく確実にできるように配慮してある。
【００２３】
以上に本発明の代表的と思われる実施例について説明したが、本発明にいう合成樹脂容器は、その形状については適宜の形状に変更して実施することができるものである。
【図面の簡単な説明】
【００２４】
【図１】本発明の容器を示した斜視図。
【図２】同容器の平面図。
【図３】図２の正面図。
【図４】図２の背面図。
【図５】図２の右側面図。
【図６】図２の蓋体の右側部分の拡大図。
【符号の説明】
【００２５】
１  容器本体
１１  鶏卵収容凹部
１３  リブ状突起
２  蓋体
２１  凹部
２１Ａ  天蓋部分
２１ａ  平坦面
２１ｂ  小凹凸面
２２  周壁
２２ｂ  周壁
２３  突起受入れ部
２３ａ  周壁面
２４  粒状突起
３  ヒンジ部
【図１】
2006036332.tif 000003
【図２】
2006036332.tif 000004
【図３】
2006036332.tif 000005
【図４】
2006036332.tif 000006
【図５】
2006036332.tif 000007
【図６】
2006036332.tif 000008